(57)【要約】      （修正有）【課題】ストック容器の収容容量を大きくし、効率よく備品を管理することができる陳列壁面体を提供する。【解決手段】陳列用壁面１が全面に張設されたネット又は多孔板であり、左右に立設した支柱３の間に取り外し自在に支持され、壁面の下方端で壁面の両側に開口した一つ又は複数の空間部２と、この空間部に出入可能で陳列物その他の小物を収容するストック容器６とからなる。【選択図】図１
0003186354.tif 000002
【実用新案登録請求の範囲】
【請求項１】
陳列用壁面の下方端で壁面の両側に開口した一つ又は複数の空間部と、この空間部に出入可能で陳列物その他の小物を収容するストック容器とからなる陳列壁面体。
【請求項２】
ストック容器が壁面の両側に突出した大きさであり、いずれの側からも収容物の取り出しが自由にできるようにした請求項１記載の陳列壁面体。
【請求項３】
陳列用壁面が全面に張設されたネット又は多孔板であり、左右に立設した支柱間に取り外し自在に支持され、壁面の下方端で壁面の両側に開口した一つ又は複数の空間部と、この空間部に出入可能で陳列物その他の小物を収容するストック容器とからなる陳列壁面体。
【請求項４】
陳列用壁面を支持する支柱の下端又はストック容器の下端にキャスターを備えた請求項１又は請求項３記載の陳列壁面体。
【考案の詳細な説明】
【技術分野】
【０００１】
本考案は陳列用壁面の下方端に空間部を設け、この空間部にストック容器を収容することができるようにしたものである。
【背景技術】
【０００２】
従来、商品の陳列棚、陳列什器においては、陳列用壁面がこれらを設置する床面まであり、陳列物を常備しておくための容器が壁面の両側にそれぞれ別々に収納され取り出すことができるに過ぎなかった。
【特許文献１】特開２００６−１１６１９６  商品陳列什器
【特許文献１】特開２００５−３０４６５７  ストッカー付き商品陳列棚
【考案の開示】
【考案が解決しようとする課題】
【０００３】
本考案は、陳列用壁面の下方端に空間部を設けることにより、この空間部にストック容器を収容することができるようにしたものであり、また、ストック容器の容量を大きくすることができるとともに、陳列壁面の数に対するストック容器の個数を減らし、効率よく備品を管理することができるようにする。
【課題を解決するための手段】
【０００４】
本考案では、陳列用壁面の下方端で壁面の両側に開口した一つ又は複数の空間部と、この空間部に出入可能で陳列物その他の小物を収容するストック容器とからなる陳列壁面体とした。
【０００５】
また、ストック容器が壁面の両側に突出した大きさであり、いずれの側からも収容物の取り出しが自由にできるようにした陳列壁面体とした。
【０００６】
また、陳列用壁面が全面に張設されたネット又は多孔板であり、左右に立設した支柱間に取り外し自在に支持され、壁面の下方端で壁面の両側に開口した一つ又は複数の空間部と、この空間部に出入可能で陳列物その他の小物を収容するストック容器とからなる陳列壁面体とした。
【０００７】
さらに、陳列用壁面を支持する支柱の下端又はストック容器の下端にキャスターを備えた陳列壁面体とした。
【考案の効果】
【０００８】
陳列用壁面の下方端に空間部を設けることにより、この空間部にストック容器を収容することができるようになった。
また、壁面の両側から取り出すことができるストック容器であることから、大容量のストック容器を用いることができるようになった。
【考案を実施するための最良の形態】
【０００９】
図１に本考案の陳列壁面体を示す。陳列壁面の下方に設けた空間部を１つとした場合である。
【実施例１】
【００１０】
図１は本考案の陳列壁面体を示す斜視図であり、図２は本考案の陳列壁面体の枠体を示す図である。図１において、１は陳列壁面であり、板状の面、ネット状の面、多孔板等からできており、商品を引っ掛けて展示することができるようになっている。２は空間部であり、陳列壁面１の下方端で壁面の両側に開口し、１つ又は複数設けられている。この空間部を設けることで、ストック容器を壁面のいずれの側からも収納し、取り出しすることができるようになっている。また、大容量のストック容器を用いることができるようになっている。
【００１１】
３は支柱で、陳列壁面１を支持している。４は支柱脚であり、支柱３を立てている。支柱３及び支柱脚４は左右対称に設けられる場合に限らず、一方のみとして他の支柱と連結して使うこともできる。
【００１２】
５は陳列台であり、支柱に支えられ陳列壁面の下方に設けられる。図１に示したものは、陳列壁面の下方端に陳列台を設けた場合である。陳列台は、例えば、支柱に陳列台支持脚を取り付け、その陳列台支持脚の上に台を乗せることにより設置することもできる。また、陳列台は、任意の高さに設けることができ、陳列する商品に応じて、複数個の台を設けることもできる。
また、陳列壁面の下方に設けられた陳列台の高さを変えることにより、陳列物の配置を調節でき、また、ストック容器の大きさに合わせた陳列壁面とすることができる。
【００１３】
６はストック容器であり、陳列物その他の小物を収容することができるようになっている。箱型に限らず、陳列壁面の下方に収納できるものであれば形状を問わない。また、例えば、ストック容器を滑らせて陳列壁面の下方から出し入れすることも可能である。また、ストック容器を回転させて陳列壁面の下方から引っ張り出すことも可能である。本考案の陳列壁面体は、陳列壁面を床面まで設けていないため、大きなストック容器を収納することができるようになっている。また、陳列壁面の両側からストック容器を引っ張り出すことができることから、陳列壁面の数に対するストック容器の個数を減らすことができる。
【００１４】
７はキャスターであり、ストック容器６の下端に設けることにより、出し入れが容易にできるようになる。また、図２には支柱脚４の下端にキャスターを設けた場合を示した。このキャスターを設けることにより陳列壁面の移動を容易に行い得る。
【００１５】
図３に示したものは、ストック容器の全体を示す斜視図である。ストック容器の大きさは任意である。陳列壁面の下方に収納できるものであればよい。また、ストック容器の下端にキャスターを設けることで、ストック容器の出し入れを容易に行うことができる。
【実施例２】
【００１６】
図４に示したものは、空間部を２つ設けた場合の陳列壁面体を示す斜視図であり、図５は空間部を２つ設けた場合の陳列壁面体の枠体を示す図である。８は仕切板であり、ストック容器の出し入れを容易にするものである。仕切板は任意に設けられる。複数のストック容器を設ける時には、ストック容器同志が接触しないように仕切板を付けるようにする。
【実施例３】
【００１７】
図６に示したものは、ストック容器の他実施例を示す平面図である。空間部２の内側で支柱３に沿って中心軸９を位置させ、ストック容器１０を設置し、ストック容器を回動させることにより、容器内の備品を取り出すことができるようになっている。また、図７は、空間部２の中心に回動中心軸１１を位置させ、ストック容器を回動可能とした場合の回動軌跡１２を示す円である。
【産業上の利用可能性】
【００１８】
陳列用壁面の下方端に空間部を設けることにより、この空間部にストック容器を収容することによって、陳列物の備蓄が容易になり、また、大容量の小物を備えておくことができる。
【図面の簡単な説明】
【００１９】
【図１】本考案の陳列壁面体を示す斜視図。
【図２】本考案の陳列壁面体の枠体を示す斜視図。
【図３】ストック容器の斜視図。
【図４】空間部を２つ設けた場合の陳列壁面体を示す斜視図。
【図５】空間部を２つ設けた場合の陳列壁面体の枠体を示す斜視図。
【図６】ストック容器の他実施例を示す平面図。
【図７】ストック容器を回動可能とした場合の回動軌跡を示す円。
【符号の説明】
【００２０】
１：陳列壁面
２：空間部
３：支柱
４：支柱脚
５：陳列台
６：ストック容器
７：キャスター
８：仕切板
９：中心軸
１０：ストック容器
１１：回動中心軸
１２：回動軌跡
【図１】
0003186354.tif 000003
【図２】
0003186354.tif 000004
【図３】
0003186354.tif 000005
【図４】
0003186354.tif 000006
【図５】
0003186354.tif 000007
【図６】
0003186354.tif 000008
【図７】
0003186354.tif 000009